(57)【要約】【課題】  ワークの加工時に静電気の発生を抑制又は防止することができる機能を１本のブラシ毛素材に備えたブラシ毛素材を提供すること。【解決手段】  静電気の発生を抑制又は防止する線状のブラシ毛素材である静電気防止ブラシ毛素材２と、当該静電気防止ブラシ毛素材２と異なる素材（例えば、金属、樹脂、動物繊維、植物繊維、紙、ゴム等）から線状に形成された一又は二以上の他のブラシ毛素材３とを編んで１本のブラシ毛素材１として形成した。この静電気防止ブラシ毛素材２によってワークの加工時に静電気の発生を抑制又は防止することができる。また、静電気防止ブラシ毛素材２と他のブラシ毛素材３とを編む本数を調節することで、ブラシ毛素材１に所望の太さ・腰の強さ・強度特性を容易に付与することができる。【選択図】  図１
2017170083.tif 000002
【特許請求の範囲】
【請求項１】
静電気の発生を抑制又は防止する線状のブラシ毛素材である静電気防止ブラシ毛素材と、当該静電気防止ブラシ毛素材と異なる素材から線状に形成された一又は二以上の他のブラシ毛素材とを編んで１本のブラシ毛素材として形成したことを特徴とするブラシ毛素材。
【請求項２】
静電気の発生を抑制又は防止する線状のブラシ毛素材である静電気防止ブラシ毛素材と、当該静電気防止ブラシ毛素材と異なる素材から線状に形成された一又は二以上の他のブラシ毛素材とを束ねることにより径の大きな大径ブラシ毛素材として構成し、当該大径ブラシ毛素材の周囲に線状部材を巻き付けることにより又は当該大径ブラシ毛素材の周囲を樹脂素材で覆うことにより、１本のブラシ毛素材として形成したことを特徴とするブラシ毛素材。
【請求項３】
前記他のブラシ毛素材は、金属、樹脂、動物繊維、植物繊維、紙、ゴムのうちのいずれか一つの素材又は二つ以上の素材を含んでなることを特徴とする請求項１又は２に記載のブラシ毛素材。
【請求項４】
前記他のブラシ毛素材は、金属を素材とする金属ブラシ毛素材と、樹脂を素材とする樹脂ブラシ毛素材とを含んでなり、当該樹脂ブラシ毛素材には、一種類又は二種類以上の砥粒が混入されていることを特徴とする請求項１又は２に記載のブラシ毛素材。
【請求項５】
前記ブラシ毛素材の周囲又は前記大径ブラシ毛素材の周囲を、樹脂に一種類又は二種類以上の砥粒を混入して形成された砥粒混入樹脂素材で覆ってなることを特徴とする請求項１から請求項３のいずれか一つに記載のブラシ毛素材。
【請求項６】
請求項１から請求項５のいずれか一つに記載の前記ブラシ毛素材を備えたことを特徴とするブラシ。
【発明の詳細な説明】
【技術分野】
【０００１】
本発明は、ワークの加工時に静電気の発生を抑制又は防止することができるブラシ毛素材及びブラシに関するものである。
【背景技術】
【０００２】
従来より、ワークのバリ取り、研削、研磨などの表面加工を行う際に使用されるブラシとして、例えば、特許文献１に係る１種類のブラシ毛を備えたブラシが知られている。すなわち、特許文献１に係るブラシは、ブラシ材の基部を樋状チャンネルに保持させてなるチャンネルブラシを、ロールに螺旋巻きしてなるロールブラシにおいて、チャンネルブラシの両端にブラシ材を植装しない空チャンネル部を延設し、該空チャンネル部をチャンネルブラシの巻端においてロールに巻き付け溶接したものである。
このような従来のブラシにおいては、主として金属製のブラシ毛が用いられており、用途に応じて、その他の素材（例えば、樹脂、動物性繊維、植物性繊維等）のブラシ毛も用いられている。
【先行技術文献】
【特許文献】
【０００３】
【特許文献１】特開平３−１１４４０７号公報
【特許文献２】特開２０１１−１８９４６１号公報
【発明の概要】
【発明が解決しようとする課題】
【０００４】
従来のブラシ毛素材は、ワークの表面加工時、特にブラシの回転数やワークへの押圧力が大きい場合に静電気が発生し易く、加工によって生じたバリ等の粉塵がブラシに付着し易かった。ブラシに付着した粉塵は、ワークにキズを付けるなど、加工精度に悪影響を及ぼす虞があった。このような粉塵は、エアーを吹き付けることにより、ある程度除去することが可能であるが、除去には限界があり十分ではなかった。このような課題を解決するため、ワークの加工時に静電気の発生を抑制又は防止することができる既存のブラシ毛素材を、上記従来のブラシ毛素材に所定の割合で加え、混毛してブラシを作製することで、静電気の発生を抑制等していた。
【０００５】
しかし、１つのワークを構成する素材は様々であり、例えば、金属と樹脂とを組み合わせて構成されたワークや、金属とゴムとを組み合わせて構成されたワーク等がある。このような複数の素材からなるワークに対しては、静電気の発生を抑制等する上記既存のブラシ毛素材を、上記金属ブラシ毛素材や上記樹脂ブラシ毛素材等とは別個に、所定の混毛割合で混毛してブラシを作製しなければならず、複雑な混毛割合の設定と混毛工程とに多くの時間を要するため、ブラシを迅速に提供できないという課題があった。
そのため、静電気の発生を抑制又は防止することができる機能を１本のブラシ毛素材に備えたブラシ毛素材の提供が望まれていた。また、このようなブラシ毛素材を備えたブラシの提供が望まれていた。
【０００６】
本発明は、ワークの加工時に静電気の発生を抑制又は防止することができる機能を１本のブラシ毛素材に備えたブラシ毛素材を提供することを目的とする。
また、本発明は、ワークの加工時に静電気の発生を抑制又は防止することができるブラシを提供することを目的とする。
【課題を解決するための手段】
【０００７】
本発明のブラシ毛素材は、静電気の発生を抑制又は防止する線状のブラシ毛素材である静電気防止ブラシ毛素材と、当該静電気防止ブラシ毛素材と異なる素材から線状に形成された一又は二以上の他のブラシ毛素材とを編んで１本のブラシ毛素材として形成したことを特徴とする。
【０００８】
また、本発明のブラシ毛素材は、静電気の発生を抑制又は防止する線状のブラシ毛素材である静電気防止ブラシ毛素材と、当該静電気防止ブラシ毛素材と異なる素材から線状に形成された一又は二以上の他のブラシ毛素材とを束ねることにより径の大きな大径ブラシ毛素材として構成し、当該大径ブラシ毛素材の周囲に線状部材を巻き付けることにより又は当該大径ブラシ毛素材の周囲を樹脂素材で覆うことにより、１本のブラシ毛素材として形成したことを特徴とする。
【０００９】
また、本発明のブラシ毛素材は、前記発明において、前記他のブラシ毛素材は、金属、樹脂、動物繊維、植物繊維、紙、ゴムのうちのいずれか一つの素材又は二つ以上の素材を含んでなることを特徴とする。
【００１０】
また、本発明のブラシ毛素材は、前記発明において、前記他のブラシ毛素材は、金属を素材とする金属ブラシ毛素材と、樹脂を素材とする樹脂ブラシ毛素材とを含んでなり、当該樹脂ブラシ毛素材には、一種類又は二種類以上の砥粒が混入されていることを特徴とする。
【００１１】
また、本発明のブラシ毛素材は、前記発明において、前記ブラシ毛素材の周囲又は前記大径ブラシ毛素材の周囲を、樹脂に一種類又は二種類以上の砥粒を混入して形成された砥粒混入樹脂素材で覆ってなることを特徴とする。
【００１２】
また、本発明のブラシは、前記発明の前記ブラシ毛素材を備えたことを特徴とする。
【発明の効果】
【００１３】
本発明によれば、ワークの加工時に静電気の発生を抑制又は防止することができる機能を１本のブラシ毛素材に備えたブラシ毛素材を提供することができる。
【００１４】
また、本発明によれば、ワークの加工時に静電気の発生を抑制又は防止することができるブラシを提供することができる。
【図面の簡単な説明】
【００１５】
【図１】本発明の実施の形態１に係るブラシ毛素材１を示す斜視図である。
【図２】多数の短繊維４を平行に引き揃えた状態を示す模式図である。
【図３】本発明の実施の形態２に係るブラシ毛素材１Ａを示す斜視図である。
【図４】本発明の実施の形態３に係るブラシ毛素材１Ｂを示す斜視図である。
【図５】本発明の実施の形態４に係るブラシ毛素材１Ｃを示す斜視図である。
【発明を実施するための形態】
【００１６】
（実施の形態１）
以下、本発明の実施の形態１に係るブラシ毛素材１について図１を参照しながら詳細に説明する。図１は、本発明の実施の形態１に係るブラシ毛素材１を示す斜視図である。
図１に示すように、ブラシ毛素材１は、静電気の発生を抑制又は防止する線状のブラシ毛素材である静電気防止ブラシ毛素材２と、静電気防止ブラシ毛素材２と異なる素材から線状に形成された他のブラシ毛素材３とを編んで１本のブラシ毛素材として形成したものである。すなわち、ブラシ毛素材１は、例えば、２本の静電気防止ブラシ毛素材２と、２本の金属ブラシ毛素材とを四つ編みにして径の太い１本のブラシ毛素材として形成したものである。
【００１７】
静電気防止ブラシ毛素材２は、周知・慣用技術により形成された線素材であり、例えば、炭素繊維等から形成され、静電気の発生を抑制又は防止できれば、その材質は特に限定されない。また、静電気防止ブラシ毛素材３の材質や線径、本数等は、加工するワークや用途に応じて適宜選択・設定される。
【００１８】
他のブラシ毛素材３としての金属ブラシ毛素材は、周知・慣用技術により形成された金属線であり、例えば、鉄、銅、アルミニウム、チタン、ニッケル、クロム、及びこれらの合金等から形成される。他のブラシ毛素材３の材質や線径、本数等は、加工するワークに応じて適宜選択・設定される。
【００１９】
本実施の形態１においては、他のブラシ毛素材３として金属ブラシ毛素材を例にして説明したが、これに限定されず、例えば、樹脂、動物繊維、植物繊維、紙、ゴムのうちのいずれか一つの素材又はこれらの素材と金属との二つ以上の素材を含んでもよい。
上記樹脂としては、周知の合成樹脂（以下、適宜、単に「樹脂」と記すこともある）素材が好ましく、例えば、ナイロン（登録商標）等のポリアミド系樹脂、ポリプロピレン、ポリエチレン、ポリ塩化ビニル、ポリイミド、ポリマー、ポリエステル、ポリプラスティック、ピーク、芳香族ポリアミド系耐熱性繊維等である。
【００２０】
また、上記動物繊維としては、例えば、人毛、馬毛、豚毛、羊毛、狸毛等が好ましい。また、上記植物繊維としては、例えば、パキン、パーム、バナナ等が好ましい。これら動物繊維や植物繊維は、素材が短いため、図２に示すように、多数の短繊維４を平行に引き揃え、連続的に撚りをかけて糸（紡績糸）にすることが好ましい。ここで、図２は、多数の短繊維４を平行に引き揃えた状態を示す模式図である。
【００２１】
また、上記紙としては、例えば、和紙、洋紙、厚紙、リサイクル用紙等が好ましい。紙ブラシ毛素材は、本願出願人が特許文献２で開示しているように、紙シートを一端から丸めて線状（棒状）とした後、捩じり、縒ることによって作製したブラシ毛素材である。
上記ゴムとしては、例えば、合成ゴムが好ましく、天然ゴムであってもよい。
【００２２】
また、他のブラシ毛素材３として上記樹脂を用いる場合であって、加工用途が研削や研磨である場合には、上記樹脂に、一種類又は二種類以上の砥粒を所定量混入することができる。ここで、砥粒の種類とは、砥粒の材質、硬度、形状、大きさ等が異なることを意味する。砥粒としては、例えば、ダイヤモンド、アルミナ、シリコン、酸化セリウム、ジルコニアのうちの一種類又は二種類以上を含んでいることが好ましいが、もちろん、ここに例示していないその他の公知の砥粒であってもよい。また、砥粒の外形形状は、円形の他、三角形、四角形等の多角形のものを用いることができる。
これら砥粒の混入は、例えば、上記樹脂を所定の温度に加熱し、ダイスを通して１本の繊維（線素材）にする際に、砥粒のパウダーを混入することによって行うことができるが、その他の公知の方法によって混入してもよい。砥粒の混入量は、加工するワークや用途に応じて適宜設定される。
【００２３】
なお、図１においては、静電気防止ブラシ毛素材２及び他のブラシ毛素材３の長手方向に直交した断面における形状が、円形であるものを例にして説明したが、他の断面形状（例えば、楕円や多角形等）を有したものであってもよい。これにより、ワークに対するブラシ毛の当接面積・圧力に変化を持たせることができ、加工に応じた種々のブラシ毛素材１を提供することができる。
【００２４】
以上に説明した実施の形態１に係るブラシ毛素材１によれば、以下に示す各効果が奏される。実施の形態１に係るブラシ毛素材１は、静電気の発生を抑制又は防止する線状のブラシ毛素材である静電気防止ブラシ毛素材２と、静電気防止ブラシ毛素材２と異なる素材から線状に形成された他のブラシ毛素材（例えば、金属を素材とする金属ブラシ毛素材）３とを編んで１本のブラシ毛素材として形成したものである。そのため、この静電気防止ブラシ毛素材２によってワークの加工時に静電気の発生を抑制又は防止することができる。したがって、ワークの加工時に静電気の発生を抑制又は防止することができる機能を１本のブラシ毛素材に備えたブラシ毛素材１を提供することができる。また、このブラシ毛素材１をブラシの製造時に用いることで、従来必要としていた静電気防止ブラシ毛素材を混毛するための複雑な混毛設定や混毛のための別工程を省くことができ、ブラシを迅速に提供することができる。
【００２５】
また、静電気防止ブラシ毛素材２と他のブラシ毛素材３とを編む本数を調節することで、ブラシ毛素材１に所望の太さ・腰の強さ・強度特性を容易に付与することができる。
【００２６】
また、他のブラシ毛素材３として、金属ブラシ毛素材のほか、樹脂、動物繊維、植物繊維、紙、ゴム等を含んで構成される場合にも上記と同様の効果を期待できる。
【００２７】
また、他のブラシ毛素材３として、砥粒を混入した樹脂ブラシ毛素材を含んで構成することにより、ワークの研削・研磨加工においても、静電気の発生を効果的に抑制又は防止することができる。
【００２８】
次に、本発明の他の実施形態について説明する。他の実施形態については、主として、実施の形態１とは異なる点を中心に説明し、実施の形態１と同様の構成については、同じ符号を付し、詳細な説明を省略する。他の実施の形態において特に説明しない点は、実施の形態１についての説明が適宜適用又は援用される。
【００２９】
（実施の形態２）
次に、本発明の実施の形態２に係るブラシ毛素材１Ａについて図３を参照しながら説明する。図３は、本発明の実施の形態２に係るブラシ毛素材１Ａを斜視図である。
図３に示すように、ブラシ毛素材１Ａは、２本の静電気防止ブラシ毛素材２と、静電気防止ブラシ毛素材２と異なる素材から線状に形成された２本の他のブラシ毛素材３とを束ねることにより径の大きな大径ブラシ毛素材５として構成し、この大径ブラシ毛素材５の周囲に線状部材６を巻き付けて１本のブラシ毛素材として形成したものである。
【００３０】
大径ブラシ毛素材５を構成する静電気防止ブラシ毛素材２の本数と他のブラシ毛素材３の本数は、この図示例のものに限らず、加工するワークや用途に応じて適宜選択・設定される。
線状部材６の材質は、特に限定されず、静電気防止ブラシ毛素材２と同一の素材であってもよいし、他のブラシ毛素材３と同一の素材（例えば、金属、樹脂等）であってもよい。また、線状部材６の線径及び巻き方（巻き方向、巻き数、ピッチ等）は、加工するワークや用途に応じて適宜設定される。
【００３１】
以上に説明した実施の形態２に係るブラシ毛素材１Ａによれば、前記実施の形態１のブラシ毛素材１と同様の効果が奏されると共に、以下に示す各効果が奏される。
実施の形態２に係るブラシ毛素材１Ａは、静電気防止ブラシ毛素材２と、他のブラシ毛素材３とを束ねることにより径の大きな大径ブラシ毛素材５として構成し、この大径ブラシ毛素材５の周囲に線状部材６を巻き付けて１本のブラシ毛素材として形成した。そのため、ワークの加工時に静電気の発生を抑制又は防止することができる機能を１本のブラシ毛素材に備えたブラシ毛素材１を提供することができる。特に、前記実施の形態１で示したような編み方に適さないブラシ毛素材を用いる場合に、これらのブラシ毛素材を束ねることによって容易に大径ブラシ毛素材５を構成することができ、１本のブラシ毛素材として提供することができる。
【００３２】
また、静電気防止ブラシ毛素材２と他のブラシ毛素材３とを束ねる本数を調節することによって、ブラシ毛素材１Ａに所望の太さ・腰の強さ・強度特性等を容易に付与することができる。
【００３３】
また、大径ブラシ毛素材５の周囲に線状部材６を巻き付けて構成しているため、大径ブラシ毛素材５を構成する素材がワークの加工中に折損等した場合であっても、この線状部材６によって折損物の飛散を効果的に抑制することができる。
【００３４】
（実施の形態３）
次に、本発明の実施の形態３に係るブラシ毛素材１Ｂについて図４を参照しながら説明する。図４は、本発明の実施の形態３に係るブラシ毛素材１Ｂを示す斜視図である。
図４に示すように、ブラシ毛素材１Ｂは、２本の静電気防止ブラシ毛素材２と、静電気防止ブラシ毛素材２と異なる素材から線状に形成された２本の他のブラシ毛素材３とを束ねることにより径の大きな大径ブラシ毛素材５として構成し、この大径ブラシ毛素材５の周囲を樹脂素材７で覆って１本のブラシ毛素材として形成したものである。
大径ブラシ毛素材５を構成する静電気防止ブラシ毛素材２の本数と他のブラシ毛素材３の本数は、加工するワークや用途に応じて適宜選択・設定される。
【００３５】
樹脂素材７は、上述した周知の合成樹脂が好ましく、例えば、ナイロン（登録商標）等のポリアミド系樹脂、ポリプロピレン、ポリエチレン、ポリ塩化ビニル、ポリイミド、ポリマー、ポリエステル、ポリプラスティック、ピーク、芳香族ポリアミド系耐熱性繊維等である。樹脂素材７の種類は、加工するワークや用途に応じて適宜選択される。
【００３６】
大径ブラシ毛素材５の周囲を樹脂素材７で覆うとは、樹脂素材７でのコーティングや、いわゆるカバーリングを意味する。カバーリングは、筒状に形成した樹脂素材７によって大径ブラシ毛素材５の外周囲を覆ったり、樹脂素材７により形成した紐部材を編んで袋状にしたもので大径ブラシ毛素材５の外周囲を覆ってもよい。コーティングやカバーリングの厚さは、加工するワークや用途に応じて適宜選択・設定される。
【００３７】
以上に説明した実施の形態３に係るブラシ毛素材１Ｂによれば、前記実施の形態２のブラシ毛素材１Ａと同様の効果が奏される。すなわち、実施の形態３に係るブラシ毛素材１Ｂは、２本の静電気防止ブラシ毛素材２と、２本の他のブラシ毛素材３とを束ねることにより大径ブラシ毛素材５として構成し、この大径ブラシ毛素材５の周囲を樹脂素材７で覆って１本のブラシ毛素材として形成した。そのため、ワークの加工時に静電気の発生を抑制又は防止することができる機能を１本のブラシ毛素材に備えたブラシ毛素材１Ｂを提供することができる。
【００３８】
また、静電気防止ブラシ毛素材２と他のブラシ毛素材３とを束ねる本数を調節することによって、ブラシ毛素材１Ｂに所望の太さ・腰の強さ・強度特性等を容易に付与することができる。
【００３９】
また、大径ブラシ毛素材５の周囲を樹脂素材７で覆って構成しているため、大径ブラシ毛素材５を構成する素材がワークの加工中に折損等した場合であっても、この樹脂素材７によって折損物の飛散を効果的に抑制することができる。
【００４０】
（実施の形態４）
次に、本発明の実施の形態４に係るブラシ毛素材１Ｃについて図５を参照しながら説明する。図５は、本発明の実施の形態４に係るブラシ毛素材１Ｃを示す斜視図である。
図５に示すように、実施の形態４に係るブラシ毛素材１Ｃは、前記実施の形態３に係る前記大径ブラシ毛素材５とほぼ同様に形成された大径ブラシ毛素材５の周囲を、樹脂に二種類の砥粒８，９を混入して形成された砥粒混入樹脂素材１０で覆って（コーティングして）なるものである。
大径ブラシ毛素材５は、例えば、３本の静電気防止ブラシ毛素材２と４本の他のブラシ毛素材３とを束ねて構成されているが、これらの本数には限定されず、加工するワークや用途に応じて適宜選択・設定される。
【００４１】
砥粒８，９としては、前記実施の形態１において説明したように、例えば、ダイヤモンド、アルミナ、シリコン、酸化セリウム、ジルコニアのうちの一種類又は二種類以上を含んでいることが好ましいが、もちろん、ここに例示していないその他の公知の砥粒であってもよい。また、砥粒の外形形状は、円形の他、三角形、四角形等の多角形のものを用いることができる。砥粒の種類、外形形状及び混入量は、加工するワークや用途に応じて適宜設定される。
【００４２】
また、砥粒混入樹脂素材１０の樹脂は、上述した周知の合成樹脂が好ましく、例えば、ナイロン（登録商標）等のポリアミド系樹脂、ポリプロピレン、ポリエチレン、ポリ塩化ビニル、ポリイミド、ポリマー、ポリエステル、ポリプラスティック、ピーク、芳香族ポリアミド系耐熱性繊維等である。この樹脂の種類は、加工するワークや用途に応じて適宜選択される。
【００４３】
大径ブラシ毛素材５の周囲を砥粒混入樹脂素材１０で覆うとは、砥粒混入樹脂素材１０でのコーティングや、いわゆるカバーリングを意味する。カバーリングは、筒状に形成した砥粒混入樹脂素材１０によって大径ブラシ毛素材５の外周囲を覆ったり、砥粒混入樹脂素材１０により形成した紐部材を編んで袋状にしたもので大径ブラシ毛素材５の外周囲を覆ってもよい。コーティングやカバーリングの厚さは、加工するワークや用途に応じて適宜選択・設定される。
【００４４】
以上のように、実施の形態４のブラシ毛素材１Ｃによれば、前記実施の形態３のブラシ毛素材１Ｂと同様の効果が奏されると共に、以下に示す各効果が奏される。すなわち、実施の形態４に係るブラシ毛素材１Ｃは、前記実施の形態３に係る前記大径ブラシ毛素材５とほぼ同様に形成された大径ブラシ毛素材５の周囲を、樹脂に二種類の砥粒８，９を混入して形成された砥粒混入樹脂素材１０で覆ってなるものである。そのため、ワークの加工時に静電気の発生を抑制又は防止することができる機能を１本のブラシ毛素材に備え、且つ、研削・研磨加工に適したブラシ毛素材１Ｃを提供することができる。
【００４５】
また、静電気防止ブラシ毛素材２と他のブラシ毛素材３とを束ねる本数を調節することによって、ブラシ毛素材１Ｃに所望の太さ・腰の強さ・強度特性等を容易に付与することができる。
【００４６】
また、大径ブラシ毛素材５の周囲を砥粒混入樹脂素材１０で覆って構成しているため、大径ブラシ毛素材５を構成する素材がワークの加工中に折損等した場合であっても、この砥粒混入樹脂素材１０によって折損物の飛散を効果的に抑制することができる。
【００４７】
（実施の形態５）
次に、本発明の実施の形態５に係るブラシについて説明する。図示を省略するが、前記実施の形態１〜４のように構成されたブラシ毛素材１，１Ａ，１Ｂ，１Ｃを備えたブラシを提供することができる。すなわち、以上のように構成されたブラシ毛素材１，１Ａ，１Ｂ，１Ｃをチャンネル部材（図示せず）に嵌め込んだり、デッキ部材（図示せず）に埋め込んで形状を整えることにより、チャンネルブラシ、植込みブラシ、溶着ブラシ等とすることができる。また、これらのブラシを所望の形状にして、ロールブラシ、ホイールブラシ、コイルブラシ、筒型ブラシ、捻じりブラシ等とすることができる。
これにより、ワークの加工や洗浄等に最適な形状、強さ、弾力、研削・研磨機能等を備え、かつ、静電気の発生を効果的に抑制又は防止することができるブラシを提供することができる。
【００４８】
以上、本発明の一実施形態について説明したが、本発明は、前述した実施の形態に制限されるものではなく、適宜変更が可能である。例えば、前記実施の形態３に係るブラシ毛素材１Ｂにおいては、大径ブラシ毛素材５の周囲を樹脂素材７で覆って構成し、前記実施の形態４に係るブラシ毛素材１Ｃにおいては、大径ブラシ毛素材５の周囲を砥粒混入樹脂素材１０で覆って構成するものとして説明したが、これに制限されず、前記実施の形態１又は前記実施の形態２に係るブラシ毛素材１，１Ａの周囲を樹脂素材７や砥粒混入樹脂素材１０で覆って構成してもよい。これにより、前記実施の形態３又は前記実施の形態４の場合と同様の効果を期待できる。
【００４９】
また、前記実施の形態１〜４においては、工業製品の部品であるワークの研削・研磨加工等に使用されるブラシ毛素材１，１Ａ，１Ｂ，１Ｃを例にして説明したが、これに限定されず、一般家庭や航空機、船舶、各種車両等で使用される絨毯、ソファー、掃除機、ペット等の動物用に使用されるブラシ等、静電気の発生が好ましくない物・製品に対しても、本発明を適用することができる。この場合、用途に応じて、金属ブラシ毛素材や砥粒の使用を省略することができる。
【符号の説明】
【００５０】
１，１Ａ，１Ｂ，１Ｃ  ブラシ毛素材
２  静電気防止ブラシ毛素材
３  他のブラシ毛素材
５  大径ブラシ毛素材
６  線状部材
７  樹脂素材
８，９  砥粒
１０  砥粒混入樹脂素材
【図１】
2017170083.tif 000003
【図２】
2017170083.tif 000004
【図３】
2017170083.tif 000005
【図４】
2017170083.tif 000006
【図５】
2017170083.tif 000007